(57)【要約】      （修正有）【課題】尿素タンクへの給水性及び給脂装置へのアクセス性を向上させつつ、デッキをコンパクトに構成することができる建設機械を提供する。【解決手段】上部旋回体の前方側部に設けられたデッキにおいて、給脂用のグリスガンが接続されたホースを巻き取るホースリール１４がデッキの前方に配置される。排ガス浄化用の尿素水を貯留する尿素タンク３０がホースリール１４よりも後方に配置される。尿素タンク３０の前面には尿素水を給水するための給水口３１が設けられる。ホースリール１４は、機械幅方向において給水口３１からずれた位置に配置される。給水口３１の先端は、ホースリール１４の後端よりも前側に位置する。【選択図】図２
2019173348.tif 000002
【特許請求の範囲】
【請求項１】
機体の前方側部に設けられたデッキにおいて、
給脂用のグリスガンが接続された可撓性ホースを巻き取るホースリールが前記デッキの前方に配置され、
排ガス浄化用の尿素水を貯留する尿素タンクが前記ホースリールよりも後方に配置され、
前記尿素タンクの前面には尿素水を給水するための給水口が設けられており、
前記ホースリールは、機械幅方向において前記給水口からずれた位置に配置されており、
前記給水口の先端は、前記ホースリールの後端よりも前側に位置することを特徴とする建設機械。
【請求項２】
前記ホースリール及び前記尿素タンクは、前記デッキに設けられた収納ボックスの内部に配置されており、
前記収納ボックスの前方を開閉するフロントカバーが設けられ、
前記給水口が向く方向は、前記グリスガンを引き出す方向と同じ方向であって、前記フロントカバーが開閉する開口の開口方向と同じ方向であることを特徴とする請求項１記載の建設機械。
【請求項３】
前記尿素タンクの後方に、グリス貯留容器と、前記グリス貯留容器に設けられたポンプユニットとが設置されており、
前記収納ボックスには、前記グリス貯留容器と前記ポンプユニットとにアクセス可能とするサイドカバーが設けられていることを特徴とする請求項２記載の建設機械。
【請求項４】
前記グリス貯留容器から前記ホースリールへ接続される可撓性ホースは、前記尿素タンクの下方を通るように配策されていることを特徴とする請求項３記載の建設機械。
【発明の詳細な説明】
【技術分野】
【０００１】
本発明は、機械各部に給脂を行うための給脂装置と排ガス浄化用の尿素タンクとを備える建設機械に関する。
【背景技術】
【０００２】
従来の建設機械として、上部旋回体の前方右側部分（デッキ）において、給脂装置を構成する給脂源ユニット（ポンプユニット及びグリス缶）とホースリールとを左右に並べて配置する構成が知られている（特許文献１の図５参照）。また、後側にホースリールを配置し、前側に給脂源ユニットを配置する構成も知られている（特許文献１の図３参照）。
【先行技術文献】
【特許文献】
【０００３】
【特許文献１】特許第５９６５８７６号公報
【発明の概要】
【発明が解決しようとする課題】
【０００４】
しかし、上部旋回体の前方右側部分において、上記給脂装置及び収納スペースに加え、排ガス浄化用の尿素タンクを設置する場合には前方右側部分を拡張させる必要があり、上部旋回体が大型化する課題がある。一方、輸送時の搬送規制等の要請から、上部旋回体のデッキ幅を抑える必要がある。
【０００５】
このようにレイアウトをコンパクトにする必要があり、更に、給脂装置及び尿素タンクへのアクセス性を考慮する必要がある。より具体的には、尿素タンクの給水性、ホースリールの巻取りの視認性、グリスガンのアクセス性等を考慮する必要がある。
【０００６】
上述した給脂源ユニットとホースリールとを左右に並べて配置する構成では、デッキの幅を小さくするのが難しい。仮に、尿素タンクを前方に設置する場合、ホースリールへのアクセスや巻取りの視認性が悪くなる。尿素タンクを後方に設置する場合、尿素タンクのアクセスや給水性が悪化する。
【０００７】
また、後側にホースリールを配置し、前側に給脂源ユニットを配置する構成では、ホースリールへのアクセスや巻取りの視認性が悪い。仮に、尿素タンクを前方に設置する場合、尿素タンクをホースリールとポンプユニットとの間に設置すると、ホースリールへのアクセスや視認性が更に悪くなる。尿素タンクを後方に設置する場合、尿素タンクのアクセスや給水性が悪化する。
【０００８】
そこで本発明は、建設機械のデッキにおける尿素タンクへの給水性及び給脂装置へのアクセス性を向上させつつ、デッキをコンパクトに構成することができる建設機械を提供することを目的とする。
【課題を解決するための手段】
【０００９】
上記目的を達成するために、本発明は、機体の前方側部に設けられたデッキにおいて、給脂用のグリスガンが接続された可撓性ホースを巻き取るホースリールが前記デッキの前方に配置され、排ガス浄化用の尿素水を貯留する尿素タンクが前記ホースリールよりも後方に配置され、前記尿素タンクの前面には尿素水を給水するための給水口が設けられており、前記ホースリールは、機械幅方向において前記給水口からずれた位置に配置されており、前記給水口の先端は、前記ホースリールの後端よりも前側に位置する建設機械を提供している。
【００１０】
ここで、前記ホースリール及び前記尿素タンクは、前記デッキに設けられた収納ボックスの内部に配置されており、前記収納ボックスの前方を開閉するフロントカバーが設けられ、前記給水口が向く方向は、前記グリスガンを引き出す方向と同じ方向であって、前記フロントカバーが開閉する開口の開口方向と同じ方向であるのが好ましい。
【００１１】
また、前記尿素タンクの後方に、グリス貯留容器と、前記グリス貯留容器に設けられたポンプユニットとが設置されており、前記収納ボックスには、前記グリス貯留容器と前記ポンプユニットとにアクセス可能とするサイドカバーが設けられているのが好ましい。
【００１２】
更に、前記グリス貯留容器から前記ホースリールへ接続される可撓性ホースは、前記尿素タンクの下方を通るように配策されているのが好ましい。
【発明の効果】
【００１３】
請求項１記載の建設機械によれば、ホースリールがデッキの前方に配置され、尿素タンクがホースリールよりも後方に配置されるため、ホースリールの視認性が良い。また、ホースリールは、機械幅方向において給水口からずれた位置に配置されているため、尿素水給水のためのスペースを確保することができる。また、例えばホースリールと尿素タンクとを横に並べる構成と比べて、デッキ幅をコンパクトにして輸送性を良くすることができる。更に、給水口の先端は、ホースリールの後端よりも前側に位置するため、デッキ前後方向もコンパクトにすることができる。
【００１４】
請求項２記載の建設機械によれば、給水口が向く方向は、グリスガンを引き出す方向と同じ方向であって、フロントカバーが開閉する開口の開口方向と同じ方向である。このため、グリスガンの引き出し、リール巻き状態の視認、尿素水の給水が全て同じ方向からアクセス可能となり、カバーやメンテナンス用足場を併用することができる。
【００１５】
請求項３記載の建設機械によれば、尿素タンクの後方にグリス貯留容器とポンプユニットとが設置されており、収納ボックスには、グリス貯留容器とポンプユニットとにアクセス可能とするサイドカバーが設けられている。グリス貯留容器とポンプユニットとを尿素タンクの後方に設置するため、尿素タンクの給水口へアクセスする際に邪魔にならない。また、サイドカバーを設けることで、グリス貯留容器及びポンプユニットへのアクセスもし易い。
【００１６】
請求項４記載の建設機械によれば、可撓性ホースは尿素タンクの下方を通るように配策されているため、デッキ幅を更に抑えることができる。また、可撓性ホースが尿素タンクの上方を通らないため、給水口周辺の給水スペースを広く確保することができ、可撓性ホースが給水の邪魔にならない。
【図面の簡単な説明】
【００１７】
【図１】本発明の実施形態による油圧ショベルの概略斜視図。
【図２】油圧ショベルのデッキ付近を示す斜視図。
【図３】油圧ショベルのデッキ付近を示す前面図。
【図４】収納ボックス内部を示す斜視図（側面のカバーを取り除いた状態）。
【図５】油圧ショベルのデッキ付近を示す斜視図（収納ボックスを二点鎖線で描いたもの）。
【図６】油圧ショベルのデッキ付近を示す上面図（収納ボックスを二点鎖線で描いたもの）。
【図７】油圧ショベルのデッキ付近を示す側面図（収納ボックスを二点鎖線で描いたもの）。
【図８】油圧ショベルのデッキ付近を示す前面図（収納ボックスを二点鎖線で描いたもの）。
【発明を実施するための形態】
【００１８】
本発明の実施形態による建設機械について図１から図８に基づき説明する。以下、本発明に係る建設機械の一例として図１に示す油圧ショベル１を例示する。なお、説明の便宜上、機械の前後方向及び左右方向（幅方向）を図１のように定義する。
【００１９】
油圧ショベル１は、クローラ式の下部走行体２及び上部旋回体３（機体の一例）を備えて構成される。上部旋回体３は、下部走行体２上に搭載されており、下部走行体２に対して鉛直軸まわりに旋回可能である。
【００２０】
上部旋回体３は、旋回ベアリング（図示せず）に支持されるメインフレーム４（アッパーフレーム）を備える。メインフレーム４に対して、キャブ５、作業アタッチメント６、機械室７等が取り付けられている。キャブ５（運転室）は、上部旋回体３の前方左側部分に設けられている。作業アタッチメント６は、上部旋回体３の前方中央部分に設けられている。機械室７は、上部旋回体３の後部に設けられ、エンジンや各種の機器類が設置される。
【００２１】
メインフレーム４のうち前方右側部分に位置する部分が、デッキ４１として構成されている。デッキ４１上には、給脂装置１０及び尿素タンク３０（図２）が収納される収納ボックス８が設けられている。図２に示すように、収納ボックス８には、給脂装置１０及び尿素タンク３０にアクセス可能とするメンテナンス用のカバー８１〜８３が開閉可能に設けられている。
【００２２】
図２に示すように、収納ボックス８の前面上部は前方に向かって低くなるように傾斜しており、この部分に開口８６が形成されている。開口８６には、上下に回動して開閉するフロントカバー８１が設けられている。フロントカバー８１を開放した状態で、ホースリール１４の巻取り状況を視認したり、尿素タンク３０の給水を行ったりすることが可能である。なお、フロントカバー８１には、作業者が機体上部に上る際に足をかけるためのステップ８５が凹部として形成されている。
【００２３】
次に、給脂装置１０の概略構成について説明する。給脂装置１０は、機械各部の回動部や摺動部にグリスを供給するために使用される。図２に示すように、給脂装置１０は、グリス缶１１と、ポンプユニット１２と、可撓性ホース（以下、単に「ホース」という）１３Ａ，１３Ｂ（図５，図７）と、ホースリール１４と、グリスガン１５（図５）とを備える。
【００２４】
グリス缶１１は、グリスを貯留するグリス貯留容器である。ポンプユニット１２は、グリス缶１１の上部に着脱可能に装着され、グリスを送り出すことが可能である。
【００２５】
ポンプユニット１２にはホース１３Ａの一端が接続され、ホース１３Ａの他端はホースリール１４の取付口１４６（図４）に接続されている。ホース１３Ａは、尿素タンク３０の下方、より詳しくは尿素タンク設置台４３の下方を通るように配策されている（図７，図８）。図８に示すように、ホース１３Ａは、尿素タンク３０の幅内を通るように配策されている。
【００２６】
更に、ホースリール１４の別の取付口（図示せず）にホース１３Ｂの一端が接続され、ホース１３Ｂの他端はグリスガン１５に接続されている。グリスガン１５を使用しない時、ホース１３Ｂをホースリール１４に巻き取って収納しておく。
【００２７】
収納ボックス８前側下部のデッキ４１前面には、グリスガン１５用の開口（図示せず）を塞ぐ蓋４５が設けられている。蓋４５を取り外すと、上記開口が現われてグリスガン１５を引き出すことができる。また、デッキ４１前面であって蓋４５の隣（より詳しくは機械幅方向外側）には、作業者が尿素タンク３０への給水時等に足を置くためのメンテナンス用足場４６が設けられている。即ち、デッキ４１前面において、グリスガン１５用の開口及び蓋４５がホースリール１４側に設けられ、足場４６が後述の給水スペースＳ側に設けられている。
【００２８】
ホースリール１４は、デッキ４１の前部であって機械幅方向内側寄り（即ち、作業アタッチメント６側）に配置されている。図４に示すように、デッキ４１には、ホースリール１４を取り付けるためのリール取付台座４２が設けられている。リール取付台座４２は断面視コの字状に形成されており、リール取付台座４２の内部（即ち、リール取付面の下側）には空間が形成されている。
【００２９】
ホースリール１４は、リール取付台座４２に取り付けられるベース板１４１と、ベース板１４１に立設された一対の支持脚部１４２と、一対の支持脚部１４２の上端に設けられた軸部１４３と、軸部１４３に対して回転可能に設けられホース１３Ｂを巻き取るドラム１４４と、ガイド１４７を支持する一対のアーム部材１４５とを備える。ガイド１４７は、ホース１３Ｂをスムーズに引き出すことができるようにローラを備える。
【００３０】
図６に示すように、グリスガン１５は、本体部１５０と、レバー１５１と、ノズル１５２とを備える。収納状態において、グリスガン１５は、ホースリール１４の下方に配置される。より具体的には、グリスガン１５のうち本体部１５０及びレバー１５１はホースリール１４よりも前側に位置し、ノズル１５２はホースリール１４の下方に位置する。図７に示すように、ホース１３Ｂは、ホースリール１４の後側から出て、ガイド１４７を通過し、ホースリール１４の下方を通って前方へ延び、グリスガン１５に接続されている。
【００３１】
給脂装置１０を用いて給脂作業を行う際には、デッキ４１前面に設けられた蓋４５を外して、開口からグリスガン１５を引き出すことによりホース１３Ｂを引き出す。グリスガン１５を所望の給脂箇所に向けてレバー１５１を握ると、ポンプユニット１２が作動してグリス缶１１内のグリスがグリスガン１５に送り出され、ノズル１５２からグリスが吐出される。
【００３２】
尿素タンク３０は、排ガス浄化用の尿素水を貯留して供給するためのタンクである。尿素タンク３０は、デッキ４１に設けられた尿素タンク設置台４３上に設置されている（図４）。尿素タンク３０は略直方体状に構成されている。
【００３３】
尿素タンク３０の前面には、尿素水を補給するための給水口３１が、前方（より詳しくは前方斜め上方）を向いて設けられている。即ち、給水口３１は前方を向いており、これは、グリスガン１５を引き出す方向、及び、収納ボックス８の開口８６の開口方向と同じである。
【００３４】
尿素タンク３０の上面には、タンク内の尿素水を取り出すための尿素配管３２が取り付けられた蓋部３３が装着されている。尿素配管３２は、後方の機械室７に設けられた排ガス浄化装置（図示せず）に向かって略前後方向に配策されている。
【００３５】
尿素タンク３０は、ホースリール１４よりも後方に配置されている。図８に示すように、機械幅方向に関して、ホースリール１４の少なくとも一部（本実施形態ではホースリール１４の半分以上）は、尿素タンク３０と重なっている。また、ホースリール１４は、機械幅方向に関して給水口３１からずれた位置に配置されている。これにより、給水口３１の前方には、給水スペースＳが確保されている。
【００３６】
また、図６，図７に示すように、給水口３１の先端３１Ｆは、上面視又は側面視で、ホースリール１４の後端１４Ｒよりも前側に位置している。即ち、尿素タンク３０の突出部分である給水口３１とホースリール１４とが前後方向に関して重なるため、前後方向にもコンパクトな配置となっている。
【００３７】
グリス缶１１及びポンプユニット１２は、尿素タンク３０の後方であって機械幅方向外側寄りに設置されている。収納ボックス８の後部側面には、グリス缶１１とポンプユニット１２とにアクセス可能とするサイドカバー８２（図２）が設けられている。また、収納ボックス８の後部上面には上面カバー８３が設けられている。サイドカバー８２及び上面カバー８３を開放した状態で、グリス缶１１からポンプユニット１２を取り外し、グリス缶１１を交換することが可能である。
【００３８】
上述した実施形態による油圧ショベル１によれば、ホースリール１４がデッキ４１の前方に配置され、尿素タンク３０がホースリール１４よりも後方に配置されるため、ホースリール１４の視認性が良い。例えば、ホース１３Ａの巻取り時にホースが絡まったりリールから脱落したりする場合があるため、視認性が良いと作業性が高まる。
【００３９】
また、ホースリール１４は、機械幅方向において給水口３１からずれた位置に配置されているため、尿素水給水のための給水スペースＳを確保することができる。例えば、尿素タンク３０に給水を行う場合、作業者は足場４６に立ち、給水スペースＳに尿素水の入った箱を一旦置くなどして給水を行うのが作業し易い。仮に尿素タンクがデッキ４１の最も前側にあると尿素タンクが近すぎるため、作業者が足場４６に立って給水を行う際にバランスを崩しやすい。上述した実施形態では、尿素タンク３０が後側にあり、しかも、給水スペースＳが確保されているため、給水作業が行い易くなっている。
【００４０】
また、例えばホースリールと尿素タンクとを横に並べる構成と比べて、デッキ４１の幅をコンパクトにして輸送性を良くすることができる。更に、給水口３１の先端３１Ｆは、ホースリール１４の後端１４Ｒよりも前側に位置するため、デッキ４１の前後方向もコンパクトにすることができる。
【００４１】
また、上述した実施形態では、図６に示すように、ホースリール１４、尿素タンク３０、グリス缶１１及びポンプユニット１２が尿素タンク３０の幅内に概略収まっており、グリス給脂性及び尿素水給水性を妨げることなく、デッキ４１の幅を一層コンパクトにすることができる。また、グリス用のホース１３Ａが、尿素配管３２の配策方向と同じ前後方向に配策されているため、配策スペースをコンパクトにすることができる。
【００４２】
また、ホースリール１４を尿素タンク３０の前方に配置しているので、ホースリール１４の横のデッドスペースを給水スペースＳ（図２，図６）として使用することができる。給水スペースＳの下方のスペースは、収納スペースとして、例えば燃料ポンプや燃料ドレンコックを設置することもできる。下方のスペースは給水の邪魔にならないため、給水性を妨げることなく空間を有効活用できる。
【００４３】
また、給水口３１が向く方向（即ち、前方）は、グリスガン１５を引き出す方向と同じ方向であって、開口８６の開口方向と同じ方向である。このため、グリスガン１５の引き出し、ホースリール１４の巻き状態の視認、尿素水の給水が全て同じ方向からアクセス可能となり、フロントカバー８１や足場４６を併用することができる。
【００４４】
また、尿素タンク３０の後方にグリス缶１１とポンプユニット１２とが設置されており、収納ボックス８には、グリス缶１１とポンプユニット１２とにアクセス可能とするサイドカバー８２が設けられている。グリス缶１１とポンプユニット１２とを尿素タンク３０の後方に設置するため、尿素タンク３０の給水口３１へアクセスする際に邪魔にならない。また、サイドカバー８２を設けることで、グリス缶１１及びポンプユニット１２へのアクセスもし易い。
【００４５】
更に、ホース１３Ａは尿素タンク３０の下方を通るように配策されているため、デッキ４１の幅を更に抑えることができる。また、ホース１３Ａが尿素タンク３０の上方を通らないため、給水口３１周辺の給水スペースＳを広く確保することができ、ホース１３Ａが給水の邪魔にならない。
【００４６】
また、収納ボックス８のフロントカバー８１を開けることによりホースリール１４にアクセス可能であり、デッキ４１前面の蓋４５を取り外すことによりグリスガン１５にアクセス可能である。かかる構成により、メンテナンス頻度が高く機械前方に位置する作業アタッチメント６への給脂が容易となる。また、ホース１３Ｂの巻取り状況を視認しながら、ホース１３Ｂの取出し及び収納ができる。
【００４７】
また、ホース１３Ｂがホースリール１４の下方を通されているため、ホース１３Ｂの取り回しを確保しつつグリスガン１５をデッキ４１の底面へ設置することができる。このため、グリスガン１５に対する地上からのアクセスが容易である。
【００４８】
また、グリスガン１５を収納するためにホースリール１４からグリスガン１５まで一定のホース長さが必要となるが、この必要なホース長さをホースリール１４下に設定しているため、デッキ４１の前後方向の長さを抑えることができる。これにより、デッキ４１がキャブ５の旋回半径からはみ出さないため、旋回範囲の把握がしやすい。もしデッキ４１がキャブ５の旋回半径からはみ出すと当てやすくなってしまう。
【００４９】
また、図７に示すように、グリス缶１１にポンプユニット１２を装着したものと、尿素タンク３０と、ホースリール１４との高さを比較すると、ホースリール１４が最も低い。上述のように収納ボックス８の前面上部が前方へ傾斜して低くなっているが、ホースリール１４を最も前側に配置したため、スペースが有効活用されている。
【００５０】
本発明による建設機械は上述した実施の形態に限定されず、特許請求の範囲に記載した範囲で種々の変形や改良が可能である。
【００５１】
例えば、上記実施形態では、尿素タンク３０の給水口３１が前方斜め上方を向いて設けられていたが、給水口３１の向きはこれに限定されない。
【００５２】
上記実施形態では、ホース１３Ａが尿素タンク３０の下方であって尿素タンク３０の幅内を通るように配策されていたが、これに限定されない。ホース１３Ａは、尿素タンク３０の上方や側方など別の位置を通るように配策されていてもよい。
【符号の説明】
【００５３】
１  油圧ショベル、  ２  下部走行体、  ３  上部旋回体、
４  メインフレーム、  ５  キャブ、  ６  作業アタッチメント、
７  機械室、  ８  収納ボックス、
１０  給脂装置、  １１  グリス缶、  １２  ポンプユニット、
１３Ａ  ホース、  １３Ｂ  ホース、  １４  ホースリール、
１４Ｒ  ホースリールの後端、  １５  グリスガン、  
３０  尿素タンク、  ３１  給水口、  ３１Ｆ  給水口の先端、
３２  尿素配管、  ３３  蓋部、
４１  デッキ、  ４２  リール取付台座、  ４３  尿素タンク設置台、
４５  蓋、  ４６  足場、
８１  フロントカバー、  ８２  サイドカバー、  ８３  上面カバー、
８５  ステップ、  ８６  開口、
１４１  ベース板、  １４２  支持脚部、  １４３  軸部、  １４４  ドラム、
１４５  アーム部材、  １４６  取付口、  １４７  ガイド、
１５０  本体部、  １５１  レバー、  １５２  ノズル、
Ｓ  給水スペース。
【図１】
2019173348.tif 000003
【図２】
2019173348.tif 000004
【図３】
2019173348.tif 000005
【図４】
2019173348.tif 000006
【図５】
2019173348.tif 000007
【図６】
2019173348.tif 000008
【図７】
2019173348.tif 000009
【図８】
2019173348.tif 000010